(57)【特許請求の範囲】
【請求項１】
支持体の上に複数の屋根パネルからなる屋根体を固定し、該屋根体の上に太陽光発電パネルを載置固定してなる組立建物において、
第１方向に傾斜し、前記屋根パネルを支持する縦材と、前記第１方向と交差する第２方向に延び、複数の太陽光発電パネルを支持する横材とを有し、
前記屋根体一端部の前記太陽光発電パネルが配置されない領域に、前記第１方向または前記第２方向に沿って、前記屋根パネルの少なくとも一部を覆う覆い部を備え、
前記縦材は、前記屋根パネルの端部を上から支持する上支持部材と、屋根パネルの端部を下から支持する下支持部材とを備え、
前記上支持部材は、前記太陽光発電パネルと前記屋根パネルとの間に空間部を形成するように、屋根パネルを支持し、
前記横材の一端部に、前記屋根パネルに向かって下方傾斜し前記空間部を閉塞するカバー部材が設けられ、該カバー部材の下端部は前記空間部に連通する連通口を構成することを特徴とする組立建物。
【請求項２】
前記覆い部は横材上に配置され、前記太陽光発電パネル面に沿って延びる上面部と、該上面部の端部から垂下される側壁部と、該側壁部の下端から外に向けて延びる縁部とからなることで、前記横材上に上方空間部を形成していることを特徴とする請求項１記載の組立建物。
【請求項３】
前記覆い部は、前記縁部を含む平面に沿った前記屋根パネルを覆う支持部を備えることを特徴とする請求項２記載の組立建物。
【請求項４】
前記屋根体は、前記縦材端部を囲う前枠及び後枠と、該前枠及び後枠を接続する一対の側枠とを備えた枠体とを有し、前記太陽光発電パネルの一端部は、前記一対の側枠のいずれかの近傍に配置されることを特徴とする請求項１〜３のいずれか１項に記載の組立建物。
【発明の詳細な説明】
【技術分野】
【０００１】
本発明は、支持体で屋根体を支持してなり該屋根体に太陽光発電パネルを設けた組立建物に関し、特に屋根体の上面のうち太陽光発電パネルを配置する領域以外の意匠性を向上させた組立建物に関する。
【背景技術】
【０００２】
従来のカーポートに、太陽光発電モジュールを設置した組立建物が知られている。かかる組立建物では、カーポートを構成する梁の上面にパネル受けを間隔をおいて設置し、パネル受け間に樹脂製の屋根パネルを載せ、パネル押えで屋根パネルを挟持することで固定している。パネル押えの上面には、取付ボルトの取付部が設けられ、この取付部に頭部を保持させた取付ボルトを上方に突出して設け、取付ボルトのネジ部に固定金具を挿通し、ナットで固定する。さらに、固定金具の側壁間に支持材を上方より差し入れ、側壁のボルト挿通孔に挿通したボルトのネジ部で支持材側壁の固着具保持溝に収納したナットに螺入して締め付ける。そして、固定金具を介して太陽電池モジュールが支持材の上面に配置されるように固定される。このような太陽光発電パネルを備えた組立建物としては、例えば特許文献１に挙げるようなものがある。
【先行技術文献】
【特許文献】
【０００３】
【特許文献１】特開２０１１−１０６１８８号公報
【発明の概要】
【発明が解決しようとする課題】
【０００４】
従来のパネル押えや支持材は、特許文献１の図９に示されるとおり、屋根パネルと支持材との端部が塞がれていない。このため、この端部から雨などが侵入すると、屋根パネルと太陽電池モジュールとの間に垂れ下がった配線が雨水に浸かっている場合、配線の被覆材が仮に熱や紫外線等のために劣化し配線が露出していると、ショートする可能性がある。
【０００５】
本発明は前記課題を鑑みてなされたものであり、太陽光発電装置の配線保護を図った組立建物を提供することを目的とする。
【課題を解決するための手段】
【０００６】
前記課題を解決するため、本発明に係る組立建物は、支持体の上に複数の屋根パネルからなる屋根体を固定し、該屋根体の上に太陽光発電パネルを載置固定してなる組立建物において、
第１方向に傾斜し、前記屋根パネルを支持する縦材と、前記第１方向と交差する第２方向に延び、複数の太陽光発電パネルを支持する横材とを有し、
前記屋根体一端部の前記太陽光発電パネルが配置されない領域に、前記第１方向または前記第２方向に沿って、前記屋根パネルの少なくとも一部を覆う覆い部を備え、
前記縦材は、前記屋根パネルの端部を上から支持する上支持部材と、屋根パネルの端部を下から支持する下支持部材とを備え、
前記上支持部材は、前記太陽光発電パネルと前記屋根パネルとの間に空間部を形成するように、屋根パネルを支持し、
前記横材の一端部に、前記屋根パネルに向かって下方傾斜し前記空間部を閉塞するカバー部材が設けられ、該カバー部材の下端部は前記空間部に連通する連通口を構成することを特徴として構成されている。
【０００８】
さらに、本発明に係る組立建物は、前記覆い部は横材上に配置され、前記太陽光発電パネル面に沿って延びる上面部と、該上面部の端部から垂下される側壁部と、該側壁部の下端から外に向けて延びる縁部とからなることで、前記横材上に上方空間部を形成していることを特徴として構成されている。
【００１０】
そして、本発明に係る組立建物は、前記覆い部は、前記縁部を含む平面に沿った前記屋根パネルを覆う支持部を備えることを特徴として構成されている。
【００１１】
また、本発明に係る組立建物は、前記屋根体は、前記縦材端部を囲う前枠及び後枠と、該前枠及び後枠を接続する一対の側枠とを備えた枠体とを有し、前記太陽光発電パネルの一端部は、前記一対の側枠のいずれかの近傍に配置されることを特徴として構成されている。
【発明の効果】
【００１２】
本発明に係る組立建物によれば、屋根体一端部の太陽光発電パネルが配置されない領域に、第１方向または第２方向に沿って、屋根パネルの少なくとも一部を覆う覆い部を設けているので、屋根パネルが覆い部により覆われ、太陽光発電パネルの支持材となる横材と屋根パネルとの間に水が浸入することを防止し、太陽光発電パネルの配線を保護することができる。
【００１３】
また、本発明に係る組立建物によれば、上支持部材により太陽光発電パネルと屋根パネルの間に上方空間部が形成されるので、太陽光発電パネルの冷却に必要な空気の流路を確保することができる。
【００１４】
さらに、本発明に係る組立建物によれば、覆い部により横材上に空間部を形成しているので、太陽光発電パネルの配線を通す空間を確保し、配線の引き回しを容易にすることができる。
【００１５】
さらにまた、本発明に係る組立建物によれば、カバー部材によって、空間部への水の浸入を最低限に抑えつつ、太陽光発電パネルの冷却に必要な空気を屋根パネルと太陽光発電パネルの間の空間部に取り込むことができる。
【００１６】
そして、本発明に係る組立建物によれば、屋根パネルを覆う覆い部を簡易に構成することができる。
【００１７】
また、本発明に係る組立建物によれば、枠体によって縦材に対する水の浸入を防止すると共に、覆い部を一側部のみに設ければよいので、効率よく太陽光発電パネル及び覆い部を配置することができる。
【図面の簡単な説明】
【００１８】
【図１】本実施形態の組立建物の正面図である。
【図２】本実施形態の組立建物の側面図である。
【図３】図２のＢ−Ｂ断面図のうち一端側付近の拡大図である。
【図４】図３のうち１つの下支持部材及び上支持部材付近の拡大図である。
【図５】図３のうち端部下支持部材及び端部上支持部材付近の拡大図である。
【図６】図１のＡ−Ａ断面図のうち一端側付近の拡大図である。
【図７】図６のうちパネル支持フレーム付近の拡大図である。
【図８】組立建物の一側部付近分解斜視図である。
【図９】第１覆い部材の端部付近の模式的斜視図である。
【図１０】組立建物の一側部付近斜視図である。
【図１１】配線収納管が側枠を回り込むように引き回された場合の組立建物の一側部付近斜視図である。
【図１２】屋根体の上面露出領域の大きい場合における組立建物の一側部付近分解斜視図である。
【発明を実施するための形態】
【００１９】
本発明の実施形態について図面に沿って詳細に説明する。図１には本実施形態の組立建物の正面図を、図２には本実施形態の組立建物の側面図を、それぞれ示している。本実施形態の組立建物は、地面に前後複数立設される支持体１でパネル状の屋根体２を支持し、屋根体２の上に太陽光発電パネル３を配設してなるものであって、カーポートとして用いられるものである。支持体１は、左右２本の支柱１０、１０の上端部に、梁１１の両端部を固定して略コ字状に形成されてなる。図１の紙面前側及び図２の左側が、車の出入りする側である。
【００２０】
図１及び図２に示すように、支持体１の上に固定される屋根体２は、車の出入りする側から奥側に向かって上り傾斜状となっている。屋根体２は、側面の四周に渡る枠体１２を有しており、その内側に屋根パネル１５を保持している。枠体１２は前枠１２ａと後枠１２ｂ及び左右の側枠１２ｃ、１２ｃからなっている。屋根体２の上に載置固定される太陽光発電パネル３は、屋根体２よりも小さい寸法であり、車の出入りする方向及びそれと直交する方向にそれぞれ複数枚が並設配置されて、全体としては屋根体２よりもやや小さい面積を占める領域を占有する。
【００２１】
屋根体２の構成について説明する。図３には、図２のＢ−Ｂ断面図のうち一端側付近の拡大図を示している。この図に示すように、梁１１の上面には、所定間隔おきに梁１１と直交する方向に沿う長尺状の下支持部材１３が取付けられる。下支持部材１３は、屋根体２において前枠１２ａから後枠１２ｂに渡る長さを有している。下支持部材１３の上部には、該下支持部材１３と同じ長さを有する上支持部材１４が固定され、屋根体２の傾斜方向である第１方向に沿って伸びる縦材となる下支持部材１３と上支持部材１４によって、隣接する２枚の屋根パネル１５、１５の縁部をそれぞれ保持固定する。
【００２２】
支柱１０の上面、すなわち屋根体２の左右端部には、端部下支持部材１６が取付けられている。端部下支持部材１６の上部には、端部上支持部材１７が固定され、端部下支持部材１６と端部上支持部材１７によって、左右端部の屋根パネル１５の端部を保持固定する。
【００２３】
図４には、図３のうち１つの下支持部材１３及び上支持部材１４付近の拡大図を示している。下支持部材１３は、梁１１の上面に載置されて固定される中空部５０を有し、中空部５０の上面は、上方に向かって突出する下連結部５１を備えると共に、その両側がそれぞれ屋根パネル１５を下方から挟持するための下挟持部５２、５２となっている。下挟持部５２には、屋根パネル１５の下面に直接当接する気密材５３が長手方向に沿って設けられている。
【００２４】
上支持部材１４は、下支持部材１３の下連結部５１に対してネジ止め固定される上連結部５５と、この上連結部５５から左右にそれぞれ伸びる上挟持部５６とを有している。上挟持部５６は、屋根パネル１５を上方から挟持し、下挟持部５２の気密材５３と対向する位置に気密材５７を有していて、屋根パネル１５に対し直接当接する。また、上支持部材１４の上面には、上方に向かって突出状に形成された挿入部５８が一体的に形成されている。挿入部５８は、太陽光発電パネル３の固定のために用いられる。
【００２５】
図５には、図３のうち端部下支持部材１６及び端部上支持部材１７付近の拡大図を示している。端部下支持部材１６は、下支持部材１６のうち一方を切り取ったような形状を有しており、中空部５０の上面に下連結部５１が突出状に形成され、その一方側の上面が下挟持部５２となっていて気密材５３を保持し、屋根パネル１５を下面側から挟持すると共に、中空部５０の端面には側枠１２ｃが固定されている。
【００２６】
端部上支持部材１７は、上支持部材１４のうち一方を切り取ったような形状を有し、下連結部５１とネジ止め固定される上連結部５５と、上連結部５５から一方側に向かって伸びる上挟持部５６とを有し、上挟持部５６には気密材５７が保持されて屋根パネル１５を上面側から挟持する。また、上挟持部５６の上面には突出片５９が一体的に形成されている。
【００２７】
屋根体２の上部に取付けられる太陽光発電パネル３の固定構造について説明する。図６には、図１のＡ−Ａ断面図のうち一端側付近の拡大図を示している。この図に示すように、上支持部材１４の上部には、第１方向と直交する第２方向に沿って配置される横材となるパネル支持フレーム４が取付けられている。パネル支持フレーム４は、屋根体２の前後両端部とその中間部に、太陽光発電パネル３の寸法に略適合する所定間隔ごとに設けられ、太陽光発電パネル３の縁部を載置する載置面部２２を有している。
【００２８】
図７には、図６のうちパネル支持フレーム４付近の拡大図を示している。パネル支持フレーム４は、上支持部材１４の上部に固定される平面状の下面部２０を有し、下面部２０の上部には断面略方形状の中空凸部２１が形成されている。中空凸部２１の上面は、太陽光発電パネル３を載置自在な載置面部２２であり、その中央部には、長手方向に沿って凹状の溝部２１ａが形成されている。
【００２９】
載置面部２２の上部には、隣接する太陽光発電パネル３、３を連結固定する太陽光発電パネル固定部品２３が締結固着されている。太陽光発電パネル固定部品２３は、太陽光発電パネル３の一辺よりも短い短尺状であって、載置面部２２の長手方向に沿って所定間隔で複数が設けられる。太陽光発電パネル固定部品２３は、載置面部２２に対し締結固着される固定面部４０と、その両端から上方に向かって伸び、太陽光発電パネル３の側面と対向する対向面部４１とで、略Ｕ字状をなすように形成されており、さらに、対向面部４１の上端から太陽光発電パネル３の側面に向かって突出する係合面部４２が形成されている。
【００３０】
パネル支持フレーム４の上面に形成される溝部２１ａには、ボルト２４の頭部が長手方向にスライド挿入されて配置されており、ボルト２４が溝部２１ａから上方に向かって突出するように配置されている。ボルト２４は太陽光発電パネル固定部品２３の固定面部４０を挿通され、ナット２５が上方からボルト２４に対し締結されることで、太陽光発電パネル固定部品２３が固定されている。
【００３１】
太陽光発電パネル３は、発電を行うパネル部３０の側面に、金属製のフレーム部３１が設けられている。フレーム部３１には、その長手方向に沿って、突出方向に向かう上り傾斜状の係止突部３２が形成されている。太陽光発電パネル固定部品２３の係合面部４２は、突出方向に向かう下り傾斜状に形成されているから、係合面部４２を係止突部３２に対して上方から引っ掛けるように係止させることができ、これによって太陽光発電パネル３を固定する。また、係合面部４２は固定面部４０の両側に形成されているから、隣接する太陽光発電パネル３、３の両方を固定することができる。
【００３２】
図３に示すように、上支持部材１４によって、屋根パネル１５と太陽光発電パネル３の間には空間部６８が形成されている。これにより、太陽光発電パネル３の下面側に空気を通すことができる。太陽光発電パネル３は、温度が上昇すると性能が低下するため、組立建物においては、太陽光発電パネル３の冷却のために屋根体２の上面との間に隙間を設け、この隙間が略全周に渡って外部と連通するように構成されている。また、太陽光発電パネル３と屋根体２の間の隙間は、雨水を円滑に排水するためにも必要である。
【００３３】
横材であるパネル支持フレーム４の端部には、屋根パネル１５側に向かって下方傾斜状に形成されたカバー部材７が、長手方向に沿って設けられている。カバー部材７は、屋根パネル１５と太陽光発電パネル３の間に形成される空間部６８を閉塞しつつ、下端部には空間部６８と連通する連通口７ａを形成している。このカバー部材７により、空間部６８に対する水の浸入を抑えつつ、空気を導入することができる。
【００３４】
図３に示すように、屋根体２の一側部において、屋根体２の端面２ａとなるのは、枠体１２を構成する側枠１２ｃの端面であるが、この辺において太陽光発電パネル３の端面３ａは、屋根体２の端面２ａよりも内側にある。このため、屋根体２において横材の一端部には、太陽光発電パネル３に覆われていない領域がある。パネル支持フレーム４の上面には、屋根体２の上面のうち太陽光発電パネル３に覆われていない領域を覆う覆い部５が設けられる。また、カバー部材７も、屋根体２の上面のうち太陽光発電パネル３に覆われていない領域を覆っている。さらに図６に示されているように、屋根体２の後端部には、側部と同様の後端カバー部材８が設けられており、この後端カバー部材８も、屋根体２の上面のうち太陽光発電パネル３に覆われていない領域を覆っている。
【００３５】
図８には、組立建物の一側部付近分解斜視図を示している。この図に示すように、覆い部５は２つの部材からなっている。このうち、長い方の部材は、太陽光発電パネル３の上面に沿って延びる上面部６２と、上面部６２の端部から垂下される側壁部６３と、側壁部６３の下端から外方に向けて延びる縁部６１とを備えてなる第１覆い部材６０であり、短い方の部材は、第１覆い部材６０より高さの低い第２覆い部材６５である。第１覆い部材６０と第２覆い部材６５は、長手方向に隣接させてあり、両部材で屋根体２の上部を覆う覆い部５となっている。
【００３６】
覆い部５は、パネル支持フレーム４の上面に取付けられるので、パネル支持フレーム４と第１覆い部材６０の上面部６２との間には上方空間部６９が形成される。このように、覆い部５は、屋根体２の露出部を被覆しつつ、パネル支持フレーム４との間に上方空間部６９を形成している。
【００３７】
第２覆い部材６５は、幅方向両側が第１覆い部材６０と同様に縁部６６となっており、両縁部６６間は、縁部６６を含む平面に沿う略板状の支持部６７となっている。このため、第１覆い部材６０の両端部は、上面部６２と側壁部６３により形成される凸状部分の端部が開口して上方空間部６９と連通する開口部６４となっている。
【００３８】
図３に示されているように、第１覆い部材６０により形成される上方空間部６９には、配線収納管６が納められている。配線収納管６は、太陽光発電パネル３で発電した電力を取り出すための配線（図示略）を内部に束ねて収納し、配線が直接露出したり、ばらばらになったりするのを防止して、配線を効率よく引き回すために設けられている。配線収納管６は、上方空間部６９の高さと略同じ径を有しており、パネル支持フレーム４に下部を支持されつつ、上方空間部６９の長手方向に沿って納められている。
【００３９】
図９には、第１覆い部材６０の端部付近の模式的斜視図を示している。この図に示すように、第１覆い部材６０の開口部６４には、プレート状の塞ぎ板７５が設けられている。塞ぎ板７５には、配線収納管６に略適合する径を有する挿通部７５ａが形成されており、挿通部７５ａを介して凸状部分内に納められた配線収納管６が外部に引き出される。また、図示しないが第１覆い部材６０の反対側の開口部６４は、挿通部７５ａを有しない板状の塞ぎ板により、全体が覆われている。このように、開口部６４に塞ぎ板７５が設けられていることにより、開口部６４と配線収納管６の隙間から上方空間部６９に対しゴミ等が侵入することを防止している。
【００４０】
図１０には、組立建物の一側部付近斜視図を示している。太陽光発電パネル３から引き出した配線は、建物の屋内あるいは屋外に設置された中継器に引き込むため、組立建物の屋根体２から支柱１０に沿って地面側に導かれる。本実施形態では、覆い部５を構成する第１覆い部材６０の開口部６４から引き出された配線収納管６を、覆い部５を構成する第２覆い部材６５の上面に沿って屋根体２の後枠１２ｂまで導き、そこから屋根体２の下面側に配線収納管６を回り込ませると共に、支柱１０に沿って地面側に導いている。
【００４１】
このように、覆い部５は、屋根体２の上面のうち、太陽光発電パネル３の端面３ａと屋根体２の端面２ａの間の領域を覆うのみならず、その下方に形成される上方空間部６９に配線収納管６を納め、これを開口部６４から取り出せるように構成されている。これによって、配線の効率的な引き回しができると共に、屋根体２の意匠性も向上させることができる。また、屋根パネル１５を上方に露出させないようにしているので、太陽光発電パネル３の支持材となる横材と屋根パネル１５との間に水が浸入することを防止し、太陽光発電パネル３の配線を保護することができる。
【００４２】
また、凸状部分を有する第１覆い部材６０と板状に形成された第２覆い部材６５とを長手方向に隣接して配置していることにより、凸状部分の端部が開口部６４となって配線収納管６を屈曲させたりすることなく容易に上方空間部６９から引き出すことができる。特に、第１覆い部材６０を屋根体２の前側に、第２覆い部材６５を屋根体２の後ろ側に、それぞれ配置し、配線収納管６は屋根体２の後枠１２ｂを回り込むように引き回されているので、組立建物の前側から見た際に配線収納管６が隠れるようにすることができ、意匠性をより高くすることができる。
【００４３】
土地や周辺の建物の配置などにより、配線収納管６を後枠１２ｂ側に引き回せない場合には、側枠１２ｃ側から引き回してもよい。図１１には、配線収納管６が側枠１２ｃを回り込むように引き回された場合の組立建物の一側部付近斜視図を示している。この図に示すように、第１覆い部材６０の開口部６４から引き出された配線収納管６を、第２覆い部材６５の上面で屈曲させ、側枠１２ｃを回り込むように引き回すと共に、支柱１０に沿って地面側に導くようにすることもできる。
【００４４】
太陽光発電パネル３の端面３ａと屋根体２の端面２ａの間の領域は、屋根体２の大きさや敷設する太陽光発電パネル３の数等によって、様々に変化しうる。図１２には、屋根体２の上面露出領域の大きい場合における組立建物の一側部付近分解斜視図を示している。図１２では、太陽光発電パネル３の端面３ａと屋根体２の端面２ａとの間隔が、図８に示したものに比べて、約３倍となっている。そこで、図８と比べて、覆い部５として第２覆い部材６５を２列追加して、屋根体２の上面露出領域の略全体を覆うようにしている。
【００４５】
覆い部５のうち側枠１２ｃ側の端部は、図８の場合と同様に、前側に長尺な第１覆い部材６０を配置し、後ろ側に第１覆い部材６０より短い第２覆い部材６５を配置し、両者を長手方向に隣接させていて、配線収納管６を収納できるようにしている。覆い部５のうち太陽光発電パネル３側の２列は、配線収納管６を長手方向に沿って収納する必要がないので、第２覆い部材６５のみからなっている。
【００４６】
このように、組立建物における屋根体２の上面露出領域の幅に応じて、共通した部品で覆い部５の幅も変えることができ、部品を共用化しつつ寸法に応じた柔軟な対応を可能としている。また、本実施形態では、屋根体２の一辺に沿って上面露出領域が形成され、該領域を覆い部５で覆っているが、屋根体２の二辺以上に渡って上面露出領域が形成されていてもよく、この場合にも、覆い部５を設けて、屋根体２の上面を覆うと共に、屋根体２との間に空間部を形成することにより、屋根体２自体の意匠性を向上させると共に、配線収納管６を納めて配線を露出させないようにすることで、意匠性及び引き回しを容易にすることができる。
【００４７】
以上、本発明の実施形態について説明したが、本発明の適用は本実施形態には限られず、その技術的思想の範囲内において様々に適用されうるものである。組立建物の基本構成については、本実施形態では支持体１が両支持タイプであって、屋根体２が前方に向かって下り傾斜状となっているが、支持体１が片流れタイプなど別のものであってもよいし、屋根体２の傾斜方向が別のタイプであってもよい。また、組立建物の寸法及び縦横比率などは、設置される土地に応じて様々なものがあるが、屋根体２の少なくとも一辺において、屋根体２の端面２ａより太陽光発電パネル３の端面３ａが内側にあって、屋根体２の上面に露出領域が形成されるものであれば、本発明を適用することができる。
【符号の説明】
【００４８】
１    支持体
２    屋根体
２ａ  端面
３    太陽光発電パネル
３ａ  端面
４    パネル支持フレーム
５    覆い部
６    配線収納管
１０    支柱
１１    梁
１２    枠体
１５    屋根パネル
２０    下面部
２２    載置面部
６０    第１覆い部材
６１    固定部
６２    凸状部
６３    開口部
６４    塞ぎ板
６４ａ  挿通部
６５    第２覆い部材
６６    固定部
６７    板状部
６９    空間部
【図１】
0006010813.tif 000002
【図２】
0006010813.tif 000003
【図３】
0006010813.tif 000004
【図４】
0006010813.tif 000005
【図５】
0006010813.tif 000006
【図６】
0006010813.tif 000007
【図７】
0006010813.tif 000008
【図８】
0006010813.tif 000009
【図９】
0006010813.tif 000010
【図１０】
0006010813.tif 000011
【図１１】
0006010813.tif 000012
【図１２】
0006010813.tif 000013